(57)【要約】      （修正有）【課題】高度な測定機器を必要としない、簡単な構成で円錐形の丸ポール用鋼管に当接すれば容易に中心軸の鉛直を測定、確認出来る、鉛直水準器を提供する。【解決手段】基準回動側面板１の開閉に枢支軸連動板５に一対に支持された連結板６により、一対の基準回動側面板１の扇形開閉に連動して常に開度の中心に対して枢支軸連動板５の枢支軸７に支持された枢支軸連動溝の移動により、枢支軸連動板５に固定された基準上面板２の姿勢が直角に維持されることにより、鉛直用水準器４が中心に向かって左右対称角度に姿勢が開閉可動角度内に維持される。【選択図】図７
2020139833.tif 000002
【特許請求の範囲】
【請求項１】
鉛直器本体の基準底面を幅広く長方向に大きく円柱状構造物に安定して当接測定出来るように一対の基準回動側面板をＶ字形扇状開閉可動に施し、扇状開閉に連動して鉛直用水準器が扇形Ｖ字形中心線に対して直角に姿勢維持するように装着されることで、当接測定では鉛直用水準器が常に被測定構造物の中心軸を測定することを特徴とする円錐鉛直器。
【請求項２】
請求項１記載の基準回動側面板の枢支軸により開閉に両端の枢支軸連動板に固定された一対の連結軸に支持される連結板を基準回動側面板に施された一対の回動支軸に連結した連結板により、基準回動側面板の開閉に連動して基準上面板に施された鉛直用水準器が被測定構造物の中心軸に対して鉛直の姿勢維持することを特徴とする円錐鉛直器
【請求項３】
円錐鉛直器本体を被測定構造物に当接測定及び検査時において、基本的に
長方向を縦に目視線の高さに当接時、基準回動側面板下端面の当接状況を側面板当接確認窓の開口部にて容易に確認出来る鉛直器
【請求項４】
請求項１記載の基準回動側面板の被測定構造物当接面側に長方向に対して
直角方向の棒状磁石を長方向両端に一対装着した鉛直器
【発明の詳細な説明】
【技術分野】
【０００１】
本発明は、土木、建築工事において、構築部材等の水平及び鉛直を確かめる際に用いられる水準式水平器に関するものである。
【背景技術】
【０００２】
従来の水準式水平器は、基準底面に対し水平、鉛直の水準器2点組合せ
たものや、あるいは一部に４５度固定の3点組み合わせたものがある。
【０００３】
これらの水準式水平器は、基準底面に対して水平及び鉛直の水準器にて形成されている為、構造被測定面に水平器の基準底面を当接し、気泡管内の気泡の位置を目視することにより水平や鉛直を確かめて使用されている。  
【先行技術文献】
【特許文献】
【０００４】
【特許文献１】（特開２０１８−４３３５号公報）
【発明の概要】
【発明が解決しようとする課題】
【０００５】
これら従来の水平器は基準底面長方向に対して水平、鉛直を測定するように形成されている為、被測定面に当接し、測定されるのは水平器本体基準底面長方向に平行の水平あるいは直角の鉛直測定に限定される為、円錐状のパイプ、例えば道路の照明用円錐形ポール鋼管等の鉛直を測定するには中心鉛直軸を被測定面は円錐状の為、傾斜していることにより従来型の水平、鉛直水準器で直接被測定面に当接して、測定出来る手軽な手工具が無かった。
【０００６】
円錐形ポール鋼管の中心軸鉛直調整の場合、直接対象鋼管を調整の為、至近距離での目測確認が出来ない為、第三者に全容視認出来る位置にて、視認指示受けての調整、又は高度な測定機器設置の上測定調整作業が一般的であった。
【０００７】
現場において、直接対象物に当接し測定検査が出来る手工具が無い為、検査には鋼管の両脇に吊下げ錘を設置し、対象物と吊り下げ糸等の左右対称の距離測定確認を平面上で９０度の２ケ所移動又は当接が欠かせなかった為、検査確認の手間が掛かっていた。
【０００８】
解決しようとする問題点は、高度な測定機器を必要としない、簡単な構成で円錐形の丸ポール用鋼管に当接すれば容易に中心軸の鉛直を測定、確認出来る、鉛直水準器を提供することを目的とする。
【課題を解決するための手段】
【０００９】
水平器本体の基準底面を幅広く長方向に大きく円柱状構造物に安定して当接測定出来るようにＶ字型溝を施し、基準上面を水平の状態で基準面長方向に対して直角に水準器を形成したことを特徴とする。
【発明の効果】
【００１０】
本発明は、以上説明したように円錐状パイプ及び鋼管ポール等の建柱施工時の際は至近距離の位置で鉛直の目視確認は出来ない為、第三者に全体を目視可能な、位置まで移動による確認を受けることなく又、高度な測定器を必要とすることなく、異なる円錐角度の鋼管ポールに対し、本考案鉛直水準器を被測定面に当接することで容易に当接面の中心軸の鉛直を測定目視確認することができる。
【発明を実施するための形態】
【００１１】
以下、本発明の実施の形状を図面に基づいて説明する。
図１は平面に置いた形成の斜視図である。
【００１２】
本体側面から見た水平用水準器と鉛直用水準器の構成を図２側面図で示すように形成される。
【００１３】
図３において、平面に置いた状態の本体と水平用水準器の方向に対して十字形のように直角に鉛直用水準器が形成された状態で設定される。
【００１４】
図４で示すように図２で示す側面図のＡ線矢視による本体及び基準底面の構成を示す断面図のように大きな開閉可動Ｖ字型で形成される。
【００１５】
図４、図５、図８で示すように一対の基準回動側面板１に枢支軸７を介して基準回動側面板1を扇形開閉操作可能とし、基準上面板２に固定された枢支軸連動板５に連結軸８と基準回動側面板１に固定された回動支軸９に連結板６を回動自在として支持される。
【００１６】
図４、図５、で示すように基準回動側面板１の開閉に枢支軸連動板５に
一対に支持された連結板６により、一対の基準回動側面板１の扇形開閉に連動して常に開度の中心に対して枢支軸連動板５の枢支軸７に支持された枢支軸連動溝１０の移動により、枢支軸連動板５に固定された基準上面板２の姿勢が直角に維持されることにより、鉛直用水準器４が中心に向かって左右対称角度に姿勢が開閉可動角度内に維持される。
【実施例】
【００１７】
図７で示すように円錐形丸鋼管の鉛直を測定するには、基準底面を円錐形丸鋼管に沿うように縦方向に当接して鉛直用水準器を目視することにより垂直を確かめる。
【図面の簡単な説明】
【００１８】
【図１】本発明の実施例の斜視図である。
【図２】図1で示す実施例の側面図である。
【図３】図１で示す実施例の上から見た平面図である。
【図４】図２で示す側面図のＡ線矢視による正面図である。
【図５】図４で示す実施例の基準回動側面板１閉じた収納時の断面図である。
【図６】図４で示す実施例の丸鋼管に当接した状況の断面図である。
【図７】図６で示す実施例の丸鋼管に当接した状況の立面図である。
【図８】図４で示す実施例の小径丸鋼管に合わせ基準底面を狭めた断面図である。
【図９】図７で示す実施例の丸鋼管に当接した状況の斜視図である。
【図１０】円錐形丸鋼管を測定する要領を示す図である。
【図１１】円錐形丸鋼管を測定時対象中心面のイメージ図である。
【符号の説明】
【００１９】
1.      基準回動側面板
2.      基準上面板
3.      水平用水準器
4.     鉛直用水準器
5.      枢支軸連動板
6.      連結板
7.     枢支軸
8.      連結軸
9.      回動支軸
10.   枢支軸連動溝
11.   側面板当接確認窓
12.  帯状永久磁石
13.  円錐状丸鋼管
14.   円錐状丸鋼管中心軸イメージ
15.   円錐状丸鋼管中心面イメージ
【図１】
2020139833.tif 000003
【図２】
2020139833.tif 000004
【図３】
2020139833.tif 000005
【図４】
2020139833.tif 000006
【図５】
2020139833.tif 000007
【図６】
2020139833.tif 000008
【図７】
2020139833.tif 000009
【図８】
2020139833.tif 000010
【図９】
2020139833.tif 000011
【図１０】
2020139833.tif 000012
【図１１】
2020139833.tif 000013
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
鉛直器本体の基準底面を幅広く長方向に大きく円柱状構造物に安定に当接出来るように一対の基準回動側面板をＶ字形扇状開閉可動に施し、扇状開閉に連動して鉛直用水準器が扇形Ｖ字形中心線に対して直交に姿勢維持するように装着されることで、当接測定では鉛直用水準器が常に被測定構造物の中心軸を測定することを特徴とする円錐鉛直器。
【請求項２】
請求項１記載の基準回動側面板の枢支軸により開閉に両端の枢支軸連動板に固定された一対の連結軸に支持される連結板を基準回動側面板に施された一対の回動支軸に連結した連結板により、基準回動側面板の開閉に連動して基準上面板に施された鉛直用水準器が被測定構造物の中心軸に対して直交の姿勢維持することを特徴とする円錐鉛直器。
【請求項３】
円錐鉛直器本体を被測定構造物に当接鉛直測定時基準回動側面板両端面付近に開口窓にて当接状況を目視確認出来ることを特徴とする鉛直器。
【手続補正書】
【提出日】令和2年1月25日(2020.1.25)
【手続補正１】
【補正対象書類名】明細書
【補正対象項目名】全文
【補正方法】変更
【補正の内容】
【発明の詳細な説明】
【技術分野】
【０００１】
本発明は、土木、建築工事において、構築部材等の水平及び鉛直を確かめる際に用いられる水準式水平器に関するものである。
【背景技術】
【０００２】
従来の水準式水平器は、基準底面に対して水平、鉛直の水準器２点組合せたものや、あるいは一部に４５度固定の３点組み合わせたものがある。
【０００３】
これらの水準式水平器は、基準底面に対して水平及び鉛直の水準器にて形成されている為、構造被測定物に水平器の基準底面を当接し、気泡管内の気泡の位置を目視することにより水平や鉛直を確かめて使用されている。
【先行技術文献】
【特許文献】
【０００４】
【特許文献１】特開２０１８−４３３５号公報
【発明の概要】
【発明が解決しようとする課題】
【０００５】
解決しようとする問題点は、従来の水平器は基準底面長方向に対して水平、鉛直を測定するように形成されている為、被測定面に当接し、測定されるのは水平器本体基準底面長方向に平行の水平あるいは直角の鉛直測定に限定される為、円錐状のパイプ、例えば道路の照明用円錐形ポール鋼管等の鉛直を測定するには中心鉛直軸を被測定面は円錐状の為、傾斜していることにより従来型の水平、鉛直水準器で直接被測定面に当接して、測定出来る手軽な測定具がない点である。
【０００６】
円錐形ポール鋼管の中心軸鉛直調整の場合、直接対象鋼管を調整の為、至近距離での目測確認が出来ない為、第三者に全容視認出来る位置にて、視認指示受けての調整、又は高度な測定機器設置の上測定調整作業が一般的であった。
【０００７】
現場において、直接対象物に当接し測定検査が出来る手工具が無い為、検査には鋼管の両脇に吊下げ錘を設置し、対象物と吊り下げ糸の左右対称の距離測定確認を平面上で中心より９０度の２ケ所の最少当接が欠かせなかった為、検査確認の手間が掛っていた。
【０００８】
解決しようとする問題点は、高度な測定機器を必要としない、簡単な構成で円錐形のポール用鋼管に当接すれば容易に中心軸の鉛直を測定、確認できない点である。
【課題を解決するための手段】
【０００９】
水平器本体の基準底面を幅広く長方向に大きく円柱状構造物に安定して当接測定出来るようにＶ字型溝を施し、基準上面を水平の状態で基準面長方向に対して直交に水準器を形成したことを特徴とする。
【発明の効果】
【００１０】
本発明は、以上説明したように円錐状パイプ及び鋼管ポール等の建柱施工時の際は至近距離の位置で鉛直の目視確認は出来ない為、第三者に全体を目視可能な、位置まで移動による確認を不要とし又、高度な測定器を必要とすることなく、多種な円角錐角度の鋼管ポールに対し、本考案鉛直水準器を被測定面に当接することで容易に当接面の中心軸の鉛直を目視測定確認することが出来る。
【図面の簡単な説明】
【００１１】
【図１】図１で示す本発明の実施例の斜視図である。
【図２】図１で示す実施例の側面図である。
【図３】図１で示す実施例の上から見た平面図である。
【図４】図２で示す側面図のＡ線矢視による正面図である。
【図５】図４で示す実施例の基準回動側面板１を閉じた収納時の断面図である。
【図６】図４で示す実施例の丸鋼管に当接した状況の断面図である。
【図７】図６で示す実施例の丸鋼管に当接した状況の立面図である。
【図８】図４で示す実施例の正多角錐形鋼管に合わせ基準底面を開度調整当接した断面図である。
【図９】円錐形丸鋼管を測定する要領を示す図である。
【図１０】円錐形丸鋼管を測定時対象中心面のイメージ図である。
【発明を実施するための形態】
【００１２】
以下、本発明の実施の形態を図面に基づいて説明する。
図１は平面に置いた形成の斜視図である。
【００１３】
本体側面から見た水平用水準器と鉛直用水準器の構成を図２側面図で示すように形成される。
【００１４】
図３において、平面に置いた状態の本体と水平用水準器の長方向に対して十字形のように直角に鉛直用水準器が形成された状態で設定される。
【００１５】
図４で示すように図２で示す側面図のＡ線矢視による本体及び基準底面の構成を示す断面図のように大きな開閉扇状可動Ｖ字型で形成される。
【００１６】
図４、図５、図８で示すように一対の基準回動側面板１に枢支軸７を介して基準回動側面板１を扇形開閉操作可能とし、基準上面板２固定された枢支軸連動板５に連結軸８と基準回動側面板１に固定された回動支軸９に連結板６を回動自在として支持される。
【００１７】
図４、図５で示すように基準回動側面板１の開閉に枢支軸連動板５に一対に支持された連結板６により、一対の基準回動側面板１の扇形開閉に連動して常に開度の中心に対して枢支軸連動板５の枢支軸７に支持された枢支軸連動溝１０の移動により、枢支軸連動板５に固定された基準上面板２の姿勢が測定対象物の鉛直中心面対して直交に維持されることにより、鉛直用水準器４が中心に向かって左右対称角度に姿勢が開閉可動角度内に維持される。
【実施例１】
【００１８】
図７で示すように円錐形丸鋼管の鉛直を測定するには、基準底面を円錐形丸鋼管に沿うように縦方向に当接して鉛直用水準器を目視することにより鉛直を確かめる。
【産業上の利用可能性】
【００１９】
円錐形丸鋼管、正多角錐形鋼管の構造物及び建柱施工時に鉛直測定調整、検査確認においても直接当接すれば単独にて容易に目視確認ができる。
【符号の説明】
【００２０】
１．    基準回動側面板
２．    基準上面板
３．    水平用水準器
４．    鉛直用水準器
５．    枢支軸連動板
６．    連結板
７．    枢支軸
８．    連結軸
９．    回動支軸
１０．  枢支軸連動溝
１１．  側面板当接確認窓
１２．  帯状永久磁石
１３．  円錐状丸鋼管
１４．  円錐状丸鋼管中心軸イメージ
１５．  円錐状丸鋼管中心面イメージ
【手続補正書】
【提出日】令和2年1月27日(2020.1.27)
【手続補正１】
【補正対象書類名】図面
【補正対象項目名】全図
【補正方法】変更
【補正の内容】
【図１】
2020139833.tif 000014
【図２】
2020139833.tif 000015
【図３】
2020139833.tif 000016
【図４】
2020139833.tif 000017
【図５】
2020139833.tif 000018
【図６】
2020139833.tif 000019
【図７】
2020139833.tif 000020
【図８】
2020139833.tif 000021
【図９】
2020139833.tif 000022
【図１０】
2020139833.tif 000023